(57)【要約】  効果的に蓄電池の充放電を制御することができる監視装置、制御装置及び制御システムを提供する。  実施形態によれば、監視装置は、使用履歴蓄積部、需要予測生成部、発電予測部、劣化テーブル決定部、充放電計画作成部及び送信部を備える。使用履歴蓄積部は、発電装置及び蓄電池を制御する制御装置から少なくとも蓄電池状態情報を受信し、蓄電池の使用履歴を生成して格納する。需要予測生成部は、制御装置が電力の供給を制御する電力消費部が消費する電力の需要予測を生成する。発電予測部は、発電装置の発電予測を生成する。劣化テーブル決定部は、使用履歴から蓄電池の劣化速度を示す劣化テーブルを決定する。充放電計画作成部は、劣化テーブル、需要予測及び発電予測に基づいて、蓄電池の充放電計画を作成する。送信部は、需要予測、発電予測、充放電計画及び蓄電池の充放電を制御するための劣化テーブルを制御装置へ送信する。
2015151696.tif 000002
【特許請求の範囲】
【請求項１】
発電装置及び蓄電池を制御する制御装置から少なくとも蓄電池状態情報を受信し、前記蓄電池の使用履歴を生成して格納する使用履歴蓄積部と、  前記制御装置が電力の供給を制御する電力消費部が消費する電力の需要予測を生成する需要予測生成部と、  前記発電装置の発電予測を生成する発電予測部と、  前記使用履歴から前記蓄電池の劣化速度を示す劣化テーブルを決定する劣化テーブル決定部と、  前記劣化テーブル、前記需要予測、及び、前記発電予測に基づいて、前記蓄電池の充放電計画を作成する充放電計画作成部と、  前記需要予測、前記発電予測、前記充放電計画及び、前記蓄電池の充放電を制御するための前記劣化テーブルを前記制御装置へ送信する送信部と、を備える監視装置。
【請求項２】
さらに、  前記劣化テーブルに有効期限を設定する有効期限設定部と、を備え、  前記送信部は、さらに、前記有効期限を前記制御装置へ送信する、前記請求項１に記載の監視装置。
【請求項３】
前記使用履歴蓄積部は、前記制御装置との通信が切断した後に前記通信が復帰した場合、前記制御装置から前記通信が切断した期間における蓄電池状態情報を受信し、前記蓄電池状態情報に基づいて使用履歴を生成して格納し、  前記劣化テーブル決定部は、前記場合において、前記使用履歴に基づいて劣化テーブルを決定し、  前記送信部は、前記劣化テーブルを前記制御装置へ送信する、前記請求項１又は２に記載の監視装置。
【請求項４】
前記劣化テーブルは、前記蓄電池の温度及びＳＯＣに応じた劣化速度を示す、前記請求項１乃至３の何れか１項に記載の監視装置。
【請求項５】
前記劣化テーブルは、劣化速度を２値で示す、前記請求項１乃至４の何れか１項に記載の監視装置。
【請求項６】
蓄電池、発電装置及び電力消費部を制御する制御装置において  前記蓄電池の蓄電池状態情報を生成する蓄電池測定部と、  前記蓄電池状態情報を監視装置へ送信する送信部と、  前記監視装置から需要予測、発電予測、劣化テーブル及び充放電計画を受信する受信部と、  前記需要予測及び前記発電予測が前記電力消費部の電力需要及び発電装置の発電量と一致するか判定する判定部と、  前記判定部が前記需要予測及び前記発電予測が前記電力消費部の電力需要及び発電装置の発電量と一致する場合に、前記充放電計画に従って前記蓄電池の充放電を制御する第１制御部と、  前記判定部が前記需要予測及び前記発電予測が前記電力消費部の電力需要及び発電装置の発電量と一致しない場合に、前記劣化テーブルに基づいて前記蓄電池の充放電を制御する第２制御部と、を備える制御装置。
【請求項７】
前記受信部は、前記監視装置から前記劣化テーブルに設定される有効期限を受信し、  さらに、  予めローカル劣化テーブルを格納する第１記録部と、  前記有効期限に現在時刻が含まれるか判定する有効期限判定部と、  前記第２制御部は、前記有効期限判定部が前記有効期限に現在時刻が含まれると判定した場合、前記劣化テーブルに基づいて前記蓄電池の充放電を制御し、前記有効期限判定部が前記有効期限に現在時刻が含まれないと判定した場合、前記ローカル劣化テーブルに基づいて前記蓄電池の充放電を制御する、前記請求項６に記載の制御装置。
【請求項８】
さらに、  前記監視装置との通信が切断した場合、前記蓄電池測定部が生成した蓄電池状態情報を格納する第２記録部を備え、  前記送信部は、前記監視装置との通信が復帰した場合に、前記蓄電池状態情報を前記監視装置へ送信する、前記請求項７に記載の制御装置。
【請求項９】
前記劣化テーブルは、前記蓄電池の温度及びＳＯＣに応じた劣化速度を示す、前記請求項６乃至８の何れか１項に記載の制御装置。
【請求項１０】
前記劣化テーブルは、劣化速度を２値で示す、前記請求項６乃至９の何れか１項に記載の制御装置。
【請求項１１】
監視装置と制御装置とを有する制御システムにおいて、  発電装置及び蓄電池を制御する制御装置から少なくとも蓄電池状態情報を受信し、前記蓄電池の使用履歴を生成して格納する使用履歴蓄積部と、  前記制御装置が電力の供給を制御する電力消費部が消費する電力の需要予測を生成する需要予測生成部と、  前記発電装置の発電予測を生成する発電予測部と、  前記使用履歴から前記蓄電池の劣化速度を示す劣化テーブルを決定する劣化テーブル決定部と、  前記劣化テーブル、前記需要予測、及び、前記発電予測に基づいて、前記蓄電池の充放電計画を作成する充放電計画作成部と、  前記需要予測、前記発電予測、前記充放電計画及び、前記蓄電池の充放電を制御するための前記劣化テーブルを前記制御装置へ送信する第１送信部と、を備え、  前記制御装置は、  前記蓄電池の蓄電池状態情報を生成する蓄電池測定部と、  前記蓄電池状態情報を前記監視装置へ送信する第２送信部と、  前記監視装置から需要予測、発電予測、劣化テーブル及び充放電計画を受信する受信部と、  前記需要予測及び前記発電予測が前記電力消費部の電力需要及び発電装置の発電量と一致するか判定する判定部と、  前記判定部が前記需要予測及び前記発電予測が前記電力消費部の電力需要及び発電装置の発電量と一致する場合に、前記充放電計画に従って前記蓄電池の充放電を制御する第１制御部と、  前記判定部が前記需要予測及び前記発電予測が前記電力消費部の電力需要及び発電装置の発電量と一致しない場合に、前記劣化テーブルに基づいて前記蓄電池の充放電を制御する第２制御部と、を備える、制御システム。
【発明の詳細な説明】
【技術分野】
【０００１】  本発明の実施形態は、監視装置、制御装置及び制御システムに関する。
【背景技術】
【０００２】  蓄電池の劣化量（電池消耗量）を制御する劣化量制御装置は、上位装置である劣化量監視装置から充放電計画を受信し、受信された充放電計画に従って蓄電池を充放電する。しかしながら、従来、充放電計画の基礎となる需要予想などが現実と異なり充放電計画通りに充放電すると劣化量を適正に制御できない場合などに、劣化量制御装置は、蓄電池の充放電を適切に制御することができないという課題がある。
【先行技術文献】
【特許文献】
【０００３】
【特許文献１】特開平０８−１４０２０５号公報
【特許文献２】特開２００４−２２２４２７号公報
【特許文献３】特開２０１２−６０８３３号公報
【発明の概要】
【発明が解決しようとする課題】
【０００４】  上記の課題を解決するため、効果的に蓄電池の充放電を制御することができる監視装置、制御装置及び制御システムを提供する。
【課題を解決するための手段】
【０００５】  実施形態によれば、監視装置は、使用履歴蓄積部と、需要予測生成部と、発電予測部と、劣化テーブル決定部と、充放電計画作成部と、送信部と、を備える。使用履歴蓄積部は、発電装置及び蓄電池を制御する制御装置から少なくとも蓄電池状態情報を受信し、前記蓄電池の使用履歴を生成して格納する。需要予測生成部は、前記制御装置が電力の供給を制御する電力消費部が消費する電力の需要予測を生成する。発電予測部は、前記発電装置の発電予測を生成する。劣化テーブル決定部は、前記使用履歴から前記蓄電池の劣化速度を示す劣化テーブルを決定する。充放電計画作成部は、前記劣化テーブル、前記需要予測、及び、前記発電予測に基づいて、前記蓄電池の充放電計画を作成する。送信部は、前記需要予測、前記発電予測、前記充放電計画及び、前記蓄電池の充放電を制御するための前記劣化テーブルを前記制御装置へ送信する。
【図面の簡単な説明】
【０００６】
【図１】図１は、第１実施形態に係る劣化量制御システムの機能例を示すためのブロック図である。
【図２】図２は、劣化テーブル決定部が選択した劣化テーブルの例を示すための図である。
【図３】図３は、充放電計画作成部が作成した充放電計画の例を示すための図である。
【図４】図４は、第１実施形態に係る劣化量監視装置の構成例を示すためのブロック図である。
【図５】図５は、第１実施形態に係る劣化量制御装置の構成例を示すためのブロック図である。
【図６】図６は、蓄電池の構成例を示すための図である。
【図７】図７は、第１実施形態に係る劣化量監視装置の動作例を説明するためのフローチャートである。
【図８】図８は、第１実施形態に係る劣化量制御装置の動作例を説明するためのフローチャートである。
【図９】図９は、第２実施形態に係る劣化量制御システムの機能例を示すためのブロック図である。
【図１０】図１０は、第２実施形態に係る劣化量監視装置の動作例を説明するためのフローチャートである。
【図１１】図１１は、第２実施形態に係る劣化量制御装置の動作例を説明するためのフローチャートである。
【図１２】図１２は、第３実施形態に係る劣化量制御システムの機能例を示すためのブロック図である。
【図１３】図１３は、第３実施形態に係る劣化量制御装置の動作例を説明するためのフローチャートである。
【図１４】図１４は、第３実施形態に係る劣化量監視装置の動作例を説明するためのフローチャートである。
【図１５】図１５は、第３実施形態に係る劣化量制御装置の動作例を説明するためのフローチャートである。
【発明を実施するための形態】
【０００７】（第１実施形態）  以下、図面を参照しながら第１実施形態について説明する。    第１実施形態に係る劣化量制御システムは、蓄電池の劣化量（又は、電池消耗量）を制御する。劣化量監視装置は、劣化量制御装置が送信する蓄電池の情報に基づいて蓄電池の充放電計画などを生成する。劣化量制御装置は、劣化量監視装置が生成する充放電計画などに沿って蓄電池の充放電を制御する。また、蓄電池は、複数個の電池セルを備える。    また、劣化量制御装置は、個人邸宅又は工場などの電力消費部へ供給する電力を制御する。即ち、劣化量制御装置は、蓄電池又は送電線などから電力消費部へ電力を供給する。
【０００８】  図１は、劣化量監視装置１０（監視装置）と劣化量制御装置２０（制御装置）とを備える劣化量制御システム１（制御システム）の機能例を示すためのブロック図である。    図１が示すように、劣化量監視装置１０は、使用履歴蓄積部１１、劣化テーブル決定部１２、需要予測部１３、発電予測部１４、充放電計画作成部１５及び第１通信部１６などを備える。
【０００９】  使用履歴蓄積部１１は、劣化量制御システム１が制御する蓄電池５３の使用履歴を格納する。使用履歴は、蓄電池５３の温度、ＳＯＣ（Ｓｔａｔｅ  ｏｆ  ｃｈａｒｇｅ）、電流、電圧、内部抵抗及び容量などの蓄電池状態が時間経過と共に変化したことを表す情報である。使用履歴が格納する情報は、特定の構成に限定されるものではない。
【００１０】  使用履歴蓄積部１１は、劣化量制御装置２０が生成及び送信する蓄電池状態情報に基づいて使用履歴を生成する。劣化量制御装置２０は、蓄電池５３の温度、ＳＯＣ、電流、電圧、内部抵抗及び容量などの含む蓄電池状態情報を随時劣化量監視装置１０へ送信する。また、劣化量制御装置２０は、所定の間隔で蓄電池状態情報を送信してもよい。使用履歴蓄積部１１は、劣化量制御装置２０が蓄電池状態情報を送信するたびに、送信される蓄電池状態情報を時系列に従って使用履歴として格納する。
【００１１】  劣化テーブル決定部１２は、使用履歴蓄積部１１が格納する使用履歴などに基づいて劣化テーブルを決定する。劣化テーブルは、蓄電池５３の状態に応じた劣化速度を示す値を格納する。たとえば、劣化テーブルは、ＳＯＣ及び温度に応じた劣化速度を示す。
【００１２】  たとえば、劣化テーブル決定部１２は、蓄電池５３の種類、使用年月、充放電の回数及び現在の電流、電圧、内部抵抗並びに容量などに応じた劣化テーブルを予め複数格納する。劣化テーブル決定部１２は、蓄電池５３の状態に応じて一意に選択する。
【００１３】  劣化テーブル決定部１２は、蓄電池５３の種類、使用年月、充放電の回数及び現在の電流、電圧、内部抵抗並びに容量などに応じて劣化テーブルを選択する。劣化テーブル決定部１２が劣化テーブルを生成するために使用するパラメータは、使用履歴に含まれる情報であってもよいし、予めオペレータなどによって入力された情報であってもよい。劣化テーブル決定部１２が劣化テーブルを生成するために使用するパラメータは、特定の構成に限定されるものではない。
【００１４】  なお、劣化テーブル決定部１２は、使用履歴蓄積部１１が格納する蓄電池５３の使用履歴などに基づく学習によって劣化テーブルを生成してもよい。劣化テーブル決定部１２が劣化テーブルを決定する方法は、特定の方法に限定されるものではない。
【００１５】  図２は、劣化テーブル決定部１２が決定する劣化テーブルの例を示す。    図２が示すように、劣化テーブルは、縦軸にＳＯＣ及び横軸に温度を有するテーブルである。ＳＯＣは、蓄電池５３が蓄電している割合を示す。たとえば、ＳＯＣが５０％である場合、蓄電池５３は、許容量の５０％蓄電している。また、温度は、蓄電池５３の温度である。
【００１６】  図２が示す例において、劣化速度は、「１」又は「０」である。劣化速度「１」は、蓄電池５３の劣化速度が速いことを示す。また、劣化速度「０」は、蓄電池５３の劣化速度が遅いことを示す。
【００１７】  たとえば、図２が示す劣化テーブルは、ＳＯＣが「３０％」で温度が「４０℃」である場合の蓄電池５３の劣化速度が「０」であることを示す。即ち、劣化テーブルは、当該条件のもとにおいて蓄電池５３の劣化速度が遅いことを示す。なお、劣化テーブルは、劣化速度として、「０」又は「１」の２値以外の値を格納してもよい。たとえば、劣化テーブルは、「０．５」などの中間的な値を有してもよい。即ち、劣化テーブルは、劣化速度が早い又は遅い以外の劣化速度を示してもよい。劣化テーブルが示す劣化速度は、特定の構成に限定されるものではない。    劣化テーブル決定部１２は、決定された劣化テーブルを充放電計画作成部１５へ送信する。
【００１８】  需要予測部１３は、劣化量制御装置２０が電力を供給する電力消費部で消費される電力の需要を予測したデータ（以下、単に需要予測と略記する）を生成する。たとえば、需要予測部１３は、過去の需要（たとえば、１週間前の需要）を用いて需要予測を生成してもよい。この場合、需要予測部１３は、電力消費部の過去の電力需要を予め格納しておく。なお、劣化量制御装置２０は、電力消費部が消費した電力を示す情報を定期的に劣化量監視装置１０へ送信してもよい。需要予測部１３が電力消費部の需要予測を生成する方法は、特定の方法に限定されるものではない。
【００１９】  需要予測部１３は、充放電計画作成部１５が充放電計画を生成するために必要な期間について需要予測を生成する。たとえば、充放電計画作成部１５が１日の充放電計画を作成する場合、需要予測部１３は、１日分の需要予測を生成する。    需要予測部１３は、生成される需要予測を充放電計画作成部１５へ送信する。
【００２０】  発電予測部１４は、劣化量制御装置２０が制御する発電装置５１が発電する電力の発電予測を生成する。たとえば、発電予測部１４は、発電装置５１の過去の発電量から発電予測を生成する。発電装置５１がソーラーパネルである場合、たとえば、発電予測部１４は、過去の天候と発電量との関係及び発電量を予想する期間の天気予報などに基づいて発電量を予測したデータ（以下、単に発電予測と略記する）を生成する。
【００２１】  また、発電予測部１４は、劣化量制御装置２０が測定した、過去の発電装置５１の発電量に基づいて発電予測を生成してもよい。この場合、劣化量制御装置２０は、発電装置５１が発電した電力を示す情報を定期的に劣化量監視装置１０へ送信する。
【００２２】  発電予測部１４は、充放電計画作成部１５が充放電計画を生成するために必要な期間について発電予測を生成する。たとえば、充放電計画作成部１５が１日の充放電計画を作成する場合、発電予測部１４は、１日分の需要予測を生成する。    発電予測部１４は、生成される発電予測を充放電計画作成部１５へ送信する。
【００２３】  充放電計画作成部１５は、劣化テーブル決定部１２が決定した劣化テーブル、需要予測部１３が送信する需要予測及び発電予測部１４が送信する発電予測に基づいて充放電を行うための計画データ（以下、単に充放電計画と略記する）を作成する。充放電計画作成部１５は、所定の期間（計画期間）に対応する充放電計画を作成する。充放電計画は、たとえば、時系列での蓄電池５３の充放電計画である。
【００２４】  充放電計画作成部１５は、蓄電池５３の劣化量と電気料金とが最適になるように計画を作成する。たとえば、充放電計画作成部１５は、所定の放電パターンを仮に決定し、発見的手法を用いて劣化量及び電気料金が最適化される放電パターンを発見する。即ち、充放電計画作成部１５は、ある放電パターンに従った場合における劣化量を算出する。劣化量は、劣化テーブルに基づく劣化速度を時間に従って積算した値である。また、充放電計画作成部１５は、当該放電パターンに従った場合における光熱費を算出する。充放電計画作成部１５は、放電パターンを変化させながら劣化量及び光熱費を算出し、最適な劣化量及び電気料金となる放電パターンを発見する。
【００２５】  充放電計画作成部１５は、蓄電池５３の劣化を早める放電計画を作成してもよし、蓄電池５３の劣化を抑制する放電計画を作成してもよい。充放電計画作成部１５が作成する放電計画の内容及び目的は、特定の構成に限定されるものではない。
【００２６】  図３は、充放電計画作成部１５が作成した充放電計画の例である。    図３が示すように、充放電計画は、蓄電池が放電する放電量と時間とを対応付けて格納する。たとえば、図３が示す充放電計画は、１０時から１１時の間において蓄電池の放電量が２ｋｗであることを示す。また、充放電計画は、１１時から１２時の間において蓄電池の放電量が１．５ｋｗであることを示す。充放電計画は、計画期間に対応する放電量を示す。
【００２７】  充放電計画は、図３が示すような１時間ごとの計画であってもよいし、他の期間ごとの計画であってもよい。なお、充放電計画は、送電線５５から充電する充電量及び発電装置５１から充電する充電量を示してもよい。充放電計画の内容は、特定の構成に限定されるものではない。    第１通信部１６は、需要予測部１３が生成した需要予測、発電予測部１４が生成した発電予測、劣化テーブル決定部１２が決定した劣化テーブル及び充放電計画作成部１５が作成した充放電計画を劣化量制御装置２０へ送信する。また、第１通信部１６は、劣化量制御装置２０が送信する使用履歴を受信する。第１通信部１６は、インターネットを通じて劣化量制御装置２０とデータを送受信してもよい。また、第１通信部１６は、有線又は無線で他の通信網を通じて劣化量制御装置２０とデータを送受信してもよい。
【００２８】  次に、劣化量制御装置２０について説明する。    図１が示すように、劣化量制御装置２０は、蓄電池状態測定部２１、充放電制御部２２及び第２通信部２３などを備える。
【００２９】  蓄電池状態測定部２１は、蓄電池の状態を測定する。蓄電池状態測定部２１は、たとえば、蓄電池の温度、ＳＯＣ、電流、電圧、容量及び内部抵抗などを測定する。蓄電池状態測定部２１は、蓄電池を構成する電池セルを制御及び監視する制御基板などであってもよい。蓄電池状態測定部２１は、測定された温度、ＳＯＣ、電流、電圧、容量及び内部抵抗などの蓄電池の状態を格納する蓄電池状態情報を生成する。
【００３０】  充放電制御部２２は、発電装置５１が発電する電力を電力消費部へ送信する機能、送電線５５から送電される電力を電力消費部へ送信する機能、発電装置５１が発電する電力を蓄電池５３に充電する機能、送電線５５から送電される電力を蓄電池５３に充電する機能、及び蓄電池５３から電力を電力消費部へ放電させる機能などを有する。
【００３１】  充放電制御部２２は、劣化量監視装置１０が送信する充放電計画に従って蓄電池５３から電力を電力消費部へ放電させる。    また、充放電制御部２２は、発電装置５１が発電する発電量及び電力消費部が消費する消費量が発電予測及び需要予測と一致するか判定する判定部２２ａを備える。たとえば、判定部２２ａは、所定の評価式に従って発電量及び消費量が発電予測及び需要予測と所定の値以上に乖離するか判定する。
【００３２】  また、充放電制御部２２は、充放電計画に従って蓄電池５３の充放電を制御する第１制御部２２ｂを備える。また、充放電制御部２２は、劣化テーブルに基づいて独自の計画を作成し作成された計画に従って蓄電池５３の充放電を制御する第２制御部２２ｃを備える。
【００３３】  判定部２２ａが発電量及び消費量が発電予測及び需要予測が一致すると判定すると、第１制御部２２ｂは、受信された充放電経計画に従って蓄電池５３の充放電を制御する。
【００３４】  判定部２２ａが発電量及び消費量が発電予測及び需要予測が一致しないと判定すると、第２制御部２２ｃは、劣化テーブルに基づいて独自の計画を作成し、作成された独自の計画に基づいて蓄電池５３を制御する。たとえば、消費量が需要予測よりも多い場合、第２制御部２２ｃは、需要予測を超過した分の電力を蓄電池５３に放電させるか、又は、送電線５５から送電される電力を利用するか判断する。この場合、第２制御部２２ｃは、蓄電池５３が放電する場合の劣化量を劣化テーブルに基づいて算出する。また、第２制御部２２ｃは、送電線５５から送電される電力を利用する場合の電気料金を算出する。第２制御部２２ｃは、劣化量と電気料金とに基づいて、蓄電池５３に放電させるか、又は、送電線５５から送電される電力を利用するかを決定する。なお、第２制御部２２ｃは、超過分の電力について、蓄電池５３に放電させ、かつ、送電線５５から送電される電力を利用してもよい。
【００３５】  第２制御部２２ｃが作成する独自の計画は、特定の構成に限定されるものではない。
【００３６】  第２通信部２３は、劣化量監視装置１０が送信する需要予測、発電予測、劣化テーブル及び充放電計画を受信する。また、第２通信部２３は、蓄電池状態測定部２１が生成した蓄電池状態情報を劣化量監視装置１０へ送信する。第２通信部２３は、第１通信部１６が接続する通信網を通じて劣化量監視装置１０と各データを送受信する。
【００３７】  次に、劣化量監視装置１０の構成例について説明する。    図４は、劣化量監視装置１０の構成例について説明するためのブロック図である。    劣化量監視装置１０は、たとえば、サーバ、又は、ＰＣなどである。劣化量監視装置１０は、特定の機器に限定されない。
【００３８】  図４が示すように、劣化量監視装置１０は、ＣＰＵ３１、ＲＡＭ３２、ＲＯＭ３３、ＮＶＭ３４、及び、通信インターフェース（Ｉ／Ｆ）３５などを備える。
【００３９】  ＣＰＵ３１は、劣化量監視装置１０全体の動作を制御する。ＣＰＵ３１は、内部キャッシュおよび各種のインターフェースなどを備えても良い。ＣＰＵ３１は、内部メモリ、ＲＯＭ３３あるいはＮＶＭ３４に予め記憶したプログラムを実行することにより種々の処理を実現する。たとえば、ＣＰＵ３１は、プログラムを実行することにより、通信インターフェース３５を介して入力されるデータなどを処理する。ＣＰＵ３１は、プログラムを実行することで劣化量監視装置１０の各機能を実現する。なお、ＣＰＵ３１がプログラムを実行することにより実現する各機能のうちの一部は、ハードウエア回路が実現する機能であっても良い。この場合、ＣＰＵ３１は、ハードウエア回路が実現する機能を制御する。
【００４０】  ＣＰＵ３１は、プロセッサの一例である。
【００４１】  ＲＡＭ３２は、揮発性のメモリである。ＲＡＭ３２は、ＣＰＵ３１の処理中のデータなどを一時的に格納する。ＲＡＭ３２は、ＣＰＵ３１からの命令に基づき種々のプログラムを格納する。また、ＲＡＭ３２は、プログラムの実行に必要なデータ及びプログラムの実行結果などを格納してもよい。
【００４２】  ＲＯＭ３３は、予め制御用のプログラム及び制御データなどが記憶された不揮発性のメモリである。ＲＯＭ３３に記憶される制御プログラム及び制御データは、予め劣化量監視装置１０の仕様に応じて組み込まれる。ＲＯＭ３３は、たとえば、劣化量監視装置１０の回路基板を制御するプログラム（例えば、ＢＩＯＳ）などを格納している。
【００４３】  ＮＶＭ３４は、データの書き込み及び書き換えが可能な不揮発性のメモリである。ＮＶＭ３４は、例えば、ハードディスク、ＳＳＤ、ＥＥＰＲＯＭ又はフラッシュメモリなどである。ＮＶＭ３４は、劣化量監視装置１０の運用用途に応じて制御プログラム、アプリケーションプログラム、及び種々のデータを格納する。    ＮＶＭ３４は、蓄電池５３の使用履歴を格納する記録領域３４ａなどを備える。
【００４４】  通信インターフェース（通信Ｉ／Ｆ）３５は、劣化量制御装置２０とのデータ通信を行うためのインターフェースである。    なお、劣化量監視装置１０は、さらに、表示部、操作部及び外部インターフェースなどを備えても良い。また、劣化量監視装置１０は、上述した構成以外の構成要素を適宜追加しても良い。
【００４５】  次に、劣化量制御装置２０の構成例について説明する。    図５は、劣化量制御装置２０の構成例について説明するためのブロック図である。    劣化量制御装置２０は、たとえば、ＰＣなどである。    図５が示すように、劣化量制御装置２０は、ＣＰＵ４１、ＲＡＭ４２、ＲＯＭ４３、ＮＶＭ３４、及び、通信インターフェース（Ｉ／Ｆ）４５などを備える。
【００４６】  ＣＰＵ４１は、劣化量制御装置２０全体の動作を制御する。ＣＰＵ４１は、内部キャッシュおよび各種のインターフェースなどを備えても良い。ＣＰＵ４１は、内部メモリ、ＲＯＭ４３あるいはＮＶＭ４４に予め記憶したプログラムを実行することにより種々の処理を実現する。たとえば、ＣＰＵ４１は、プログラムを実行することにより、通信インターフェース４５を介して入力されるデータなどを処理する。ＣＰＵ４１は、プログラムを実行することで劣化量制御装置２０の各機能を実現する。なお、ＣＰＵ４１がプログラムを実行することにより実現する各機能のうちの一部は、ハードウエア回路が実現する機能であっても良い。この場合、ＣＰＵ４１は、ハードウエア回路が実現する機能を制御する。
【００４７】  ＣＰＵ４１は、プロセッサの一例である。
【００４８】  ＲＡＭ４２は、揮発性のメモリである。ＲＡＭ４２は、ＣＰＵ４１の処理中のデータなどを一時的に格納する。ＲＡＭ４２は、ＣＰＵ４１からの命令に基づき種々のプログラムを格納する。また、ＲＡＭ４２は、プログラムの実行に必要なデータ及びプログラムの実行結果などを格納してもよい。
【００４９】  ＲＯＭ４３は、予め制御用のプログラム及び制御データなどが記憶された不揮発性のメモリである。ＲＯＭ４３に記憶される制御プログラム及び制御データは、予め劣化量制御装置２０の仕様に応じて組み込まれる。ＲＯＭ４３は、たとえば、劣化量制御装置２０の回路基板を制御するプログラム（例えば、ＢＩＯＳ）などを格納している。
【００５０】  ＮＶＭ４４は、データの書き込み及び書き換えが可能な不揮発性のメモリである。ＮＶＭ４４は、例えば、ハードディスク、ＳＳＤ、ＥＥＰＲＯＭ又はフラッシュメモリなどである。ＮＶＭ４４は、劣化量制御装置２０の運用用途に応じて制御プログラム、アプリケーションプログラム、及び種々のデータを格納する。    ＮＶＭ４４は、劣化テーブルを格納する記録領域４４ａ、及び充放電計画を格納する記録領域４４ｂなどを備える。    通信インターフェース（通信Ｉ／Ｆ）４５は、劣化量監視装置１０とのデータ通信を行うためのインターフェースである。
【００５１】  外部インターフェース（通信Ｉ／Ｆ）４６は、ＰＣＳ５２、５４及び５６へ制御信号を送信するためのインターフェースである。ＣＰＵ４１は、外部インターフェース４６を通じて、蓄電池５３の充放電を制御する。
【００５２】  なお、劣化量制御装置２０は、さらに、表示部、操作部及び外部インターフェースなどを備えても良い。また、劣化量制御装置２０は、上述した構成以外の構成要素を適宜追加しても良い。
【００５３】  劣化量制御装置２０は、外部インターフェース４６を通じてＰＣＳ５２、５４及び５６に接続する。また、ＰＣＳ５２は、発電装置５１へ接続する。ＰＣＳ５４は、蓄電池５３へ接続する。また、ＰＣＳ５６は、送電線５５へ接続する。また、ＰＣＳ５４は、ＰＣＳ５２及び５６に接続する。
【００５４】  発電装置５１は、蓄電池５３へ充電する電力又は電力消費部へ供給する電力を発電する。発電装置５１は、発電された電力をＰＣＳ５２へ供給する。たとえば、発電装置５１は、ソーラーパネルなどである。
【００５５】  ＰＣＳ（パワーコンディショナ）５２は、劣化量制御装置２０からの制御信号に基づいて発電装置５１が発電した電力を制御する。即ち、ＰＣＳ５２は、制御信号に基づいて、発電装置５１が発電した電力を電力消費部へ供給する。また、ＰＣＳ５２は、制御信号に基づいて、発電装置５１が発電した電力をＰＣＳ５４を通じて蓄電池５３へ充電する。
【００５６】  蓄電池５３は、複数の電池セルから構成される２次電池である。蓄電池５３は、ＰＣＳ５４の制御に基づいて、電力を放電したり、発電装置５１又は送電線５５からの電力を充電したりする。蓄電池５３の構造については後術する。
【００５７】  ＰＣＳ５４は、劣化量制御装置２０からの制御信号に基づいて蓄電池５３を制御する。即ち、ＰＣＳ５４は、制御信号に基づいて蓄電池５３から電力を取り出して電力消費部へ供給する。また、ＰＣＳ５４は、制御信号に基づいて発電装置５１又は送電線５５から供給される電力を蓄電池５３へ充電する。
【００５８】  送電線５５は、電力会社が提供する電力を送電する。送電線５５から送電される電力は、ＰＣＳ５６へ供給される。    ＰＣＳ５６は、劣化量制御装置２０からの制御信号に基づいて送電線５５から送電される電力を制御する。即ち、ＰＣＳ５６は、制御信号に基づいて送電線５５から送電される電力を電力消費部へ供給する。また、ＰＣＳ５６は、制御信号に基づいて送電される電力をＰＣＳ５４を通じて蓄電池５３へ充電する。
【００５９】  次に、蓄電池５３の構成例について説明する。    図６は、蓄電池５３の構成例を説明するための図である。    図６が示すように、蓄電池５３は、電池セル６１ａ乃至６１ｃ及び制御基板６４などを備える。
【００６０】  電池セル６１ａは、例えば、リチウムイオン電池などの非水素系二次電池を用いている。電池セル６１ａは、アルミニウムなどにより形成された扁平な矩形箱状の外装容器、および、外装容器内に非水電解液と共に収納された電極体を備えている。電極体は、例えば、正極板および負極板を、その間にセパレータを介在させて渦巻き状に捲回し、さらに、径方向に圧縮することにより、扁平な矩形状に形成されている。
【００６１】  正極端子６２ａ及び負極端子６３ａは、外装容器の長手方向両端部にそれぞれ設置され、外装容器から上方へ突出している。正極端子６２ａ及び負極端子６３ａは、電極体の正極および負極にそれぞれ接続されている。    電池セル６１ｂ及び６１ｃは、電池セル６１ａと同様の構成である。なお、蓄電池５３を構成する電池セルの構成及び数は、特定の構成に限定されるものではない。
【００６２】  制御基板６４は、矩形状の制御回路基板により構成される。制御基板６４は、大部分の電池セル６１を覆っている。制御基板６４は、蓄電池５３の外装容器の天井壁などに固定されている。
【００６３】  制御基板６４は、各電池セル６１に電気的に接続されている。制御基板６４は、各電池セル６１の電圧、電流および温度などを検出し、蓄電池５３が適切に動作するように種々の制御を行う。
【００６４】  次に、劣化量監視装置１０の動作例について説明する。    図７は、劣化量監視装置１０の動作例を説明するためのフローチャートである。    ここでは、劣化量監視装置１０の使用履歴蓄積部１１は、これまでの蓄電池５３の使用履歴を格納しているものとする。
【００６５】  まず、劣化量監視装置１０の劣化テーブル決定部１２は、使用履歴蓄積部１１から使用履歴を読み込む（ステップＳ１１）。劣化テーブル決定部１２が使用履歴を読み込むと、需要予測部１３は、電力消費部の需要予測を生成する（ステップＳ１２）。
【００６６】  需要予測部１３が需要予測を生成すると、発電予測部１４は、発電装置５１の発電予測を生成する（ステップＳ１３）。発電予測部１４が発電予測を生成すると、劣化テーブル決定部１２は、使用履歴に基づいて劣化テーブルを決定する（ステップＳ１４）。
【００６７】  劣化テーブル決定部１２が劣化テーブルを決定すると、充放電計画作成部１５は、需要予測、発電予測及び劣化テーブルに基づいて、充放電計画を作成する（ステップＳ１５）。充放電計画作成部１５が充放電計画を作成すると、第１通信部１６は、需要予測、発電予測、劣化テーブル及び充放電計画を劣化量制御装置２０へ送信する（ステップＳ１６）。    第１通信部１６が各データを劣化量制御装置２０へ送信すると、劣化量監視装置１０は、動作を終了する。    なお、劣化量制御装置２０が各データを劣化量監視装置１０へ送信する間隔は、たとえば、半日又１日などであるが、特定の期間に限定されるものではない。
【００６８】  次に、劣化量制御装置２０の動作例について説明する。    図８は、劣化量制御装置２０の動作例について説明するためのフローチャートである。   まず、劣化量制御装置２０の第２通信部２３は、劣化量監視装置１０から需要予測、発電予測、劣化テーブル及び充放電計画を受信する（ステップＳ２１）。
【００６９】  第２通信部２３が各データを受信すると、判定部２２ａは、需要予測及び発電予測を参照し、現実の需要及び発電が需要予測及び発電予測と一致するか判定する（ステップＳ２２）。判定部２２ａが現実の需要及び発電が需要予測及び発電予測と一致するか判定する方法は、前述のとおりである。
【００７０】  判定部２２ａが現実の需要及び発電が需要予測及び発電予測と一致すると判定すると（ステップＳ２２、ＹＥＳ）、第１制御部２２ｂは、受信された充放電計画に従って蓄電池５３の充放電を制御する（ステップＳ２３）。即ち、第１制御部２２ｂは、受信された充放電計画に基づく制御信号をＰＣＳ５４へ送信する。ＰＣＳ５４は、第１制御部２２ｂが送信する制御信号に従って蓄電池５３を充放電させる。
【００７１】  判定部２２ａが現実の需要及び発電が需要予測及び発電予測と一致しないと判定すると（ステップＳ２２、ＮＯ）、第２制御部２２ｃは、劣化テーブルに基づいて独自の計画を作成し、作成された独自の計画に従って蓄電池５３の充放電を制御する（ステップＳ２４）。即ち、第２制御部２２ｃは、独自の計画に基づく制御信号をＰＣＳ５４へ送信する。ＰＣＳ５４は、第２制御部２２ｃが送信する制御信号に従って蓄電池５３を充放電させる。
【００７２】  第１制御部２２ｂが充放電計画に従って蓄電池５３の充放電を制御した場合（ステップＳ２３）、又は、第２制御部２２ｃが独自の計画に従って蓄電池５３の充放電を制御した場合（ステップＳ２４）、劣化量制御装置２０は、動作を終了する。
【００７３】  なお、劣化量制御装置２０は、ステップＳ２２以下の動作を所定の間隔で繰り返し行ってもよい。たとえば、劣化量制御装置２０は、１時間ごとにステップＳ２２以下の動作を繰り返してもよい。また、劣化量制御装置２０は、独自の計画を作成した後は新たに充放電計画を受信するまで、独自の計画に従って蓄電池５３を制御してもよい。また、劣化量制御装置２０は、独自の計画を作成した後に現実の需要及び発電が需要予測及び発電予測と一致した場合には、受信された充放電計画に従って蓄電池５３を制御してもよい。
【００７４】  また、蓄電池状態測定部２１は、蓄電池５３の蓄電池状態情報を収集する。蓄電池状態測定部２１が蓄電池状態情報を収集すると、第２通信部２３、所定の間隔で蓄電池５３の蓄電池状態情報を劣化量監視装置１０へ送信する。たとえば、第２通信部２３は、１時間ごと又は１日ごとに蓄電池５３の蓄電池状態情報を劣化量監視装置１０へ送信する。第２通信部２３が蓄電池５３の蓄電池状態情報を送信するタイミングは、特定の構成に限定されるものではない。
【００７５】  以上のように構成される劣化量制御システムは、劣化量監視装置が生成した需要予想及び発電予想と現実の需要及び発電が一致しない場合でも、劣化量制御装置が独自の計画を作成することによって蓄電池の劣化量を制御することができる。
【００７６】（第２実施形態）  次に、第２実施形態に係る劣化量制御システムについて説明する。    図９は、第２実施形態に係る劣化量制御システム１の機能例を示すブロック図である。   第２実施形態に係る劣化量制御システム１の機能例は、劣化テーブル決定部１２が有効期限設定部１２ａを備える点、及び、劣化量制御装置２０が有効期限判定部２４を備える点で第１実施形態に係る劣化量制御システム１の機能例と異なる。したがって、その他については同一の符号を付して詳細な説明を省略する。
【００７７】  劣化テーブル決定部１２が備える有効期限設定部１２ａは、劣化テーブル決定部１２が決定する劣化テーブルに有効期限を設定する。有効期限は、劣化テーブルが使用可能な期間を示す。有効期限は、日時であってもよいし、劣化テーブルを送信してからの時間であってもよい。
【００７８】  たとえば、有効期限は、蓄電池５３の内部状態が局所的に安定している期間である。また、有効期限は、蓄電池５３の劣化速度が変化しない期間又は、近似的に劣化速度が同一である期間である。
【００７９】  有効期限設定部１２ａは、蓄電池５３の種類、使用履歴、温度、及び、蓄電池５３の製造過程における加熱時間などに基づいて有効期限を決定する。たとえば、有効期限設定部１２ａは、各データを予め設定されるモデルにあてはめて有効期限を決定してもよい。
【００８０】  たとえば、蓄電池５３の使用期間が比較的短い場合には、蓄電池５３の劣化速度は不安定である。そのため、蓄電池５３の使用期間が比較的短い場合には、有効期限設定部１２ａは、比較的短い期間を有効期限と決定する。また、蓄電池５３の使用期間が比較的長い場合には、蓄電池５３の劣化速度は安定的である。そのため、蓄電池５３の使用期間が比較的長い場合には、有効期限設定部１２ａは、比較的長い期限を有効期間と決定する。    有効期限設定部１２ａが有効期限を決定する方法は、特定の方法に限定されるものではない。
【００８１】  劣化量制御装置２０の有効期限判定部２４は、現在時刻が劣化テーブルに設定されている有効期限内であるか判定する。現在時刻が有効期限内である場合、有効期限判定部２４は、劣化量監視装置１０から受信された劣化テーブル（サーバ劣化テーブル）を、独自の計画を作成するための劣化テーブルとして設定する。また、現在時刻が有効期限内でない場合、有効期限判定部２４は、劣化量制御装置２０が予め格納している劣化テーブル（ローカル劣化テーブル）を、独自の計画を作成するための劣化テーブルとして設定する。
【００８２】  有効期限判定部２４は、劣化量制御装置２０が製造される段階などにおいてローカル劣化テーブルを格納する。    ローカル劣化テーブルは、たとえば、蓄電池５３の定常的な劣化を示すものであってもよい。定常的な劣化とは、一般的に使用初期に見られる一時的な容量の増減を含まない劣化現象であって、寿命中期から寿命末期に見られる安定的な劣化である。なお、ローカル劣化テーブルは、特定の内容に限定されるものではない。
【００８３】  次に、第２実施形態に係る劣化量制御システム１の構成例について説明する。    第２実施形態に係る劣化量制御システムの構成例は、ＮＶＭ４４がローカル劣化テーブルを格納する記録領域４４ｃ（図５参照）を備える点で第１実施形態に係る劣化量制御システム１の構成例と異なる。したがって、他の点については説明を省略する。
【００８４】  ＮＶＭ４４が格納する記録領域４４ｃは、ローカル劣化テーブルを格納する。前述のとおり、記録領域４４ｃは、劣化量制御装置２０の製造時などにおいて予めローカル劣化テーブルを格納する。
【００８５】  次に、劣化量監視装置１０の動作例について説明する。    図１０は、劣化量監視装置１０の動作例について説明するためのフローチャートである。    ステップＳ１１からステップＳ１４までの動作は、第１実施形態の劣化量監視装置１０の動作と同一であるので、ここでは、説明を省略する。
【００８６】  劣化テーブル決定部１２が劣化テーブルを決定すると、有効期限設定部１２ａは、決定された劣化テーブルに有効期限を設定する（ステップＳ３１）。有効期限設定部１２ａが劣化テーブルに有効期限を設定すると、充放電計画作成部１５は、充放電計画を作成する（ステップＳ１５）。
【００８７】  充放電計画作成部１５が充放電計画を作成すると、第１通信部１６は、需要予測、発電予測、充放電計画、劣化テーブル及び有効期限を劣化量制御装置２０へ送信する（ステップＳ３２）。第１通信部１６が各データを劣化量制御装置２０へ送信すると、劣化量監視装置１０は、動作を終了する。
【００８８】  次に、劣化量制御装置２０の動作例について説明する。    図１１は、劣化量制御装置２０の動作例を説明するためのフローチャートである。    まず、劣化量制御装置２０の第２通信部２３は、劣化量監視装置１０から需要予測、発電予測、充放電計画、劣化テーブル（サーバ劣化テーブル）及び有効期限を受信する（ステップＳ４１）。
【００８９】  第２通信部２３が各データを受信すると、有効期限判定部２４は、現在時刻が有効期限内であるか判定する（ステップＳ４２）。現在時刻が有効期限内であると判定すると（ステップＳ４２、ＹＥＳ）、有効期限判定部２４は、サーバ劣化テーブルを独自の計画を作成するための劣化テーブルとして設定する（ステップＳ４３）。
【００９０】  現在時刻が有効期限内でないと判定すると（ステップＳ４２、ＮＯ）、有効期限判定部２４は、ローカル劣化テーブルを独自の計画を作成するための劣化テーブルとして設定する（ステップＳ４４）。
【００９１】  有効期限判定部２４がサーバ劣化テーブルを設定した場合（ステップＳ４３）、又は、有効期限判定部２４がローカル劣化テーブルを設定した場合（ステップＳ４４）、判定部２２ａは、需要予測及び発電予測を参照し、需要予測及び発電予測が現実の需要及び発電と一致するか判定する（ステップＳ４５）。
【００９２】  判定部２２ａが需要予測及び発電予測が現実の需要及び発電と一致すると判定すると（ステップＳ４５、ＹＥＳ）、第１制御部２２ｂは、充放電計画に従って蓄電池５３の充放電を制御する（ステップＳ４６）。
【００９３】  判定部２２ａが需要予測及び発電予測が現実の需要及び発電と一致しないと判定すると（ステップＳ４５、ＮＯ）、第２制御部２２ｃは、独自の計画を作成するために設定されている劣化テーブル（サーバ劣化テーブル又はローカル劣化テーブル）に基づいて独自の計画を作成し、作成された独自の計画に従って蓄電池５３の充放電を制御する（ステップＳ４７）。即ち、現在時刻が有効期限内である場合、第２制御部２２ｃは、サーバ劣化テーブルに基づいて独自の計画を作成し、作成された独自の計画に従って蓄電池５３の充放電を制御する。また、現在時刻が有効期限内でない場合、第２制御部２２ｃは、ローカル劣化テーブルに基づいて独自の計画を作成し、作成された独自の計画に従って蓄電池５３の充放電を制御する。
【００９４】  第１制御部２２ｂが充放電計画に従って蓄電池５３の充放電を制御した場合（ステップＳ４６）、又は、第２制御部２２ｃが独自の計画に従って蓄電池５３の充放電を制御した場合（ステップＳ４７）、劣化量制御装置２０は、動作を終了する。
【００９５】  なお、劣化量制御装置２０は、ステップＳ４２以下の動作を所定の間隔で繰り返し行ってもよい。たとえば、劣化量制御装置２０は、１時間ごとにステップＳ４２以下の動作を繰り返してもよい。
【００９６】  以上のように構成される劣化量制御システムは、劣化テーブルが適切に劣化速度を示すことができる期間を経過した場合に独自の劣化テーブルによって蓄電池の劣化を制御することができる。その結果、劣化量制御システムは、劣化量監視装置と劣化量制御装置との通信が切断した場合においても蓄電池の劣化を制御することができる。
【００９７】（第３実施形態）  次に、第３実施形態について説明する。    図１２は、第３実施形態に係る劣化量制御システム１の機能例を示すブロック図である。    第３実施形態に係る劣化量制御システム１の機能例は、劣化量制御装置２０が蓄電池状態記録部２５を備える点で第２実施形態に係る劣化量制御システム１の機能例と異なる。したがって、他の点について同一の符号を付して詳細な説明を省略する。
【００９８】  蓄電池状態記録部２５は、劣化量監視装置１０との通信が切断した場合、蓄電池状態測定部２１が生成した蓄電池状態情報を格納する。蓄電池状態記録部２５は、劣化量監視装置１０との通信が切断している間において、蓄電池状態測定部２１が生成した蓄電池状態情報を追加的に格納し続ける。
【００９９】  第２通信部２３は、劣化量監視装置１０との通信が復帰すると、蓄電池状態記録部２５が格納する蓄電池状態情報を劣化量監視装置１０へ送信する。    なお、劣化量監視装置１０との通信が復帰した場合、蓄電池状態記録部２５は、蓄電池状態情報の格納項目の平均値などを算出してもよい。この場合、第２通信部２３は、蓄電池状態記録部２５が算出した平均値などを劣化量監視装置１０へ送信してもよい。
【０１００】  有効期限判定部２４は、さらに、劣化量監視装置１０との通信が復帰した後に劣化量監視装置１０から受信される劣化テーブルが最新の劣化テーブルであるか判定する。即ち、有効期限判定部２４は、劣化量監視装置１０からの劣化テーブルが決定された日時などに基づいて、受信された劣化テーブルが通信が切断している間の使用履歴に基づいて決定された劣化テーブルであるか判定する。
【０１０１】  次に、第３実施形態に係る劣化量制御システム１の構成例について説明する。    第３実施形態に係る劣化量制御システムの構成例は、ＮＶＭ４４が使用履歴を格納する記録領域４４ｄ（図５参照）を備える点で第１実施形態に係る劣化量制御システム１の構成例と異なる。したがって、他の点については説明を省略する。
【０１０２】  ＮＶＭ４４が備える記録領域４４ｄは、劣化量監視装置１０との通信が切断した場合に蓄電池５３の蓄電池状態情報を格納する。前述のとおり、劣化量監視装置１０との通信が切断している間において、記録領域４４ｄは、蓄電池状態情報を追加的に格納し続ける。
【０１０３】  次に、劣化量監視装置１０との通信が切断した場合の劣化量制御装置２０の動作例について説明する。    図１３は、劣化量監視装置１０との通信が切断した場合の劣化量制御装置２０の動作例について説明するためのフローチャートである。
【０１０４】  まず、劣化量制御装置２０は、劣化量監視装置１０との通信が復帰したか判定する（ステップＳ５１）。
【０１０５】  劣化量制御装置２０が劣化量監視装置１０との通信が復帰していないと判定すると（ステップＳ５１、ＮＯ）、蓄電池状態記録部２５は、蓄電池状態測定部２１が生成した蓄電池状態情報を格納する（ステップＳ５２）。
【０１０６】  劣化量制御装置２０が劣化量監視装置１０との通信が復帰したと判定すると（ステップＳ５１、ＹＥＳ）、第２通信部２３は、蓄電池状態記録部２５が格納する蓄電池状態情報を劣化量監視装置１０へ送信する（ステップＳ５３）。第２通信部２３が蓄電池状態情報を劣化量監視装置１０へ送信すると、劣化量制御装置２０は、動作を終了する。
【０１０７】  次に、劣化量制御装置２０との通信が復帰した場合の劣化量監視装置１０の動作例について説明する。    図１４は、劣化量制御装置２０との通信が復帰した場合の劣化量監視装置１０の動作例について説明するためのフローチャートである。
【０１０８】  まず、劣化量監視装置１０の第１通信部１６は、劣化量制御装置２０からの蓄電池状態情報を受信したか判定する（ステップＳ６１）。第１通信部１６が劣化量制御装置２０からの蓄電池状態情報を受信していないと判定すると（ステップＳ６１、ＮＯ）、劣化量監視装置１０は、ステップＳ６１へ戻る。
【０１０９】  第１通信部１６が劣化量制御装置２０からの蓄電池状態情報を受信したと判定すると（ステップＳ６１、ＹＥＳ）、使用履歴蓄積部１１は、受信された蓄電池状態情報を時系列に従って使用履歴として格納する（ステップＳ６２）。
【０１１０】  使用履歴蓄積部１１が蓄電池状態情報を格納すると、劣化テーブル決定部１２は、使用履歴を読み込む（ステップＳ６３）。使用履歴を読み込むと、劣化テーブル決定部１２は、劣化テーブルを決定する（ステップＳ６４）。
【０１１１】  劣化テーブル決定部１２が劣化テーブルを決定すると、有効期限設定部１２ａは、劣化テーブル決定部１２が決定する劣化テーブルに有効期限を設定する（ステップＳ６５）。
【０１１２】  有効期限設定部１２ａが有効期限を設定すると、第１通信部１６は、劣化テーブル及び有効期限を劣化量制御装置２０へ送信する（ステップＳ６６）。第１通信部１６が劣化テーブル及び有効期限を劣化量制御装置２０へ送信すると、劣化量制御装置２０は、動作を終了する。
【０１１３】  次に、劣化量制御装置２０が劣化テーブルを更新する動作例について説明する。    図１５は、劣化量制御装置２０が劣化テーブルを更新する動作例について説明するためのフローチャートである。    まず、劣化量制御装置２０の第２通信部２３は、劣化量監視装置１０から劣化テーブル（サーバ劣化テーブル）及び有効期限を受信する（ステップＳ７１）。
【０１１４】  第２通信部２３が各データを受信すると、有効期限判定部２４は、サーバ劣化テーブルが最新の劣化テーブルであるか判定する（ステップＳ７２）。サーバ劣化テーブルが最新の劣化テーブルであると判定すると（ステップＳ７２、ＹＥＳ）、有効期限判定部２４は、サーバ劣化テーブルを独自の計画を作成するための劣化テーブルとして設定する（ステップＳ７３）。
【０１１５】  サーバ劣化テーブルが最新の劣化テーブルでないと判定すると（ステップＳ７２、ＮＯ）、有効期限判定部２４は、ローカル劣化テーブルを独自の計画を作成するための劣化テーブルとして設定する（ステップＳ７４）。
【０１１６】  有効期限判定部２４がサーバ劣化テーブルを設定した場合（ステップＳ７３）、又は、有効期限判定部２４がローカル劣化テーブルを設定した場合（ステップＳ７４）、劣化量制御装置２０は、動作を終了する。
【０１１７】  なお、サーバ劣化テーブルが最新の劣化テーブルでないと判定した場合、劣化量制御装置２０は、劣化量監視装置１０が劣化テーブルを送信するまで待機してもよい。
【０１１８】  以上のように構成される劣化量制御システムは、劣化量監視装置と劣化量制御装置との通信が復帰した場合に劣化量制御装置の劣化テーブルを更新することができる。その結果、劣化量制御システムは、劣化制御の制度を高めることができる。
【０１１９】  本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２０】  １…劣化量制御システム（制御システム）、１０…劣化量監視装置（監視装置）、１１…使用履歴蓄積部、１２…劣化テーブル決定部、１２ａ…有効期限設定部、１３…需要予測部、１４…発電予測部、１５…充放電計画作成部、１６…第１通信部、２０…劣化量制御装置（制御装置）、２１…蓄電池状態測定部、２２…充放電制御部、２２ａ…判定部、２２ｂ…第１制御部、２２ｃ…第２制御部、２３…第２通信部、２４…有効期限判定部、２５…蓄電池状態記録部、５１…発電装置、５３…蓄電池、５５…送電線。
【図１】
2015151696.tif 000003
【図２】
2015151696.tif 000004
【図３】
2015151696.tif 000005
【図４】
2015151696.tif 000006
【図５】
2015151696.tif 000007
【図６】
2015151696.tif 000008
【図７】
2015151696.tif 000009
【図８】
2015151696.tif 000010
【図９】
2015151696.tif 000011
【図１０】
2015151696.tif 000012
【図１１】
2015151696.tif 000013
【図１２】
2015151696.tif 000014
【図１３】
2015151696.tif 000015
【図１４】
2015151696.tif 000016
【図１５】
2015151696.tif 000017
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
発電装置及び蓄電池を制御する制御装置から少なくとも蓄電池状態情報を受信し、前記蓄電池の使用履歴を生成して格納する使用履歴蓄積部と、
前記制御装置が電力の供給を制御する電力消費部が消費する電力の需要予測を生成する需要予測生成部と、
前記発電装置の発電予測を生成する発電予測部と、
前記使用履歴から前記蓄電池の劣化速度を示す劣化テーブルを決定する劣化テーブル決定部と、
前記劣化テーブル、前記需要予測、及び、前記発電予測に基づいて、前記蓄電池の充放電計画を作成する充放電計画作成部と、
前記需要予測、前記発電予測、前記充放電計画及び、前記蓄電池の充放電を制御するための前記劣化テーブルを前記制御装置へ送信する送信部と、
前記劣化テーブルに有効期限を設定する有効期限設定部と、
を備え、
前記送信部は、さらに、前記有効期限を前記制御装置へ送信する、
監視装置。
【請求項２】
発電装置及び蓄電池を制御する制御装置から少なくとも蓄電池状態情報を受信し、前記蓄電池の使用履歴を生成して格納する使用履歴蓄積部と、
前記制御装置が電力の供給を制御する電力消費部が消費する電力の需要予測を生成する需要予測生成部と、
前記発電装置の発電予測を生成する発電予測部と、
前記使用履歴から前記蓄電池の劣化速度を示す劣化テーブルを決定する劣化テーブル決定部と、
前記劣化テーブル、前記需要予測、及び、前記発電予測に基づいて、前記蓄電池の充放電計画を作成する充放電計画作成部と、
前記需要予測、前記発電予測、前記充放電計画及び、前記蓄電池の充放電を制御するための前記劣化テーブルを前記制御装置へ送信する送信部と、
を備え、
前記使用履歴蓄積部は、前記制御装置との通信が切断した後に前記通信が復帰した場合、前記制御装置から前記通信が切断した期間における蓄電池状態情報を受信し、前記蓄電池状態情報に基づいて使用履歴を生成して格納し、
前記劣化テーブル決定部は、前記場合において、前記使用履歴に基づいて劣化テーブルを決定し、
前記送信部は、前記劣化テーブルを前記制御装置へ送信する、
監視装置。
【請求項３】
前記劣化テーブルは、前記蓄電池の温度及びＳＯＣに応じた劣化速度を示す、
前記請求項１又は２に記載の監視装置。
【請求項４】
前記劣化テーブルは、劣化速度を２値で示す、
前記請求項１乃至３の何れか１項に記載の監視装置。
【請求項５】
蓄電池、発電装置及び電力消費部を制御する制御装置において
前記蓄電池の蓄電池状態情報を生成する蓄電池測定部と、
前記蓄電池状態情報を監視装置へ送信する送信部と、
前記監視装置から需要予測、発電予測、劣化テーブル及び充放電計画を受信する受信部と、
前記需要予測及び前記発電予測が前記電力消費部の電力需要及び発電装置の発電量と一致するか判定する判定部と、
前記判定部が前記需要予測及び前記発電予測が前記電力消費部の電力需要及び発電装置の発電量と一致する場合に、前記充放電計画に従って前記蓄電池の充放電を制御する第１制御部と、
前記判定部が前記需要予測及び前記発電予測が前記電力消費部の電力需要及び発電装置の発電量と一致しない場合に、前記劣化テーブルに基づいて前記蓄電池の充放電を制御する第２制御部と、
を備える制御装置。
【請求項６】
前記受信部は、前記監視装置から前記劣化テーブルに設定される有効期限を受信し、
さらに、
予めローカル劣化テーブルを格納する第１記録部と、
前記有効期限に現在時刻が含まれるか判定する有効期限判定部と、
前記第２制御部は、前記有効期限判定部が前記有効期限に現在時刻が含まれると判定した場合、前記劣化テーブルに基づいて前記蓄電池の充放電を制御し、前記有効期限判定部が前記有効期限に現在時刻が含まれないと判定した場合、前記ローカル劣化テーブルに基づいて前記蓄電池の充放電を制御する、
前記請求項５に記載の制御装置。
【請求項７】
さらに、
前記監視装置との通信が切断した場合、前記蓄電池測定部が生成した蓄電池状態情報を格納する第２記録部を備え、
前記送信部は、前記監視装置との通信が復帰した場合に、前記蓄電池状態情報を前記監視装置へ送信する、
前記請求項６に記載の制御装置。
【請求項８】
前記劣化テーブルは、前記蓄電池の温度及びＳＯＣに応じた劣化速度を示す、
前記請求項５乃至７の何れか１項に記載の制御装置。
【請求項９】
前記劣化テーブルは、劣化速度を２値で示す、
前記請求項５乃至８の何れか１項に記載の制御装置。
【請求項１０】
監視装置と制御装置とを有する制御システムにおいて、
発電装置及び蓄電池を制御する制御装置から少なくとも蓄電池状態情報を受信し、前記蓄電池の使用履歴を生成して格納する使用履歴蓄積部と、
前記制御装置が電力の供給を制御する電力消費部が消費する電力の需要予測を生成する需要予測生成部と、
前記発電装置の発電予測を生成する発電予測部と、
前記使用履歴から前記蓄電池の劣化速度を示す劣化テーブルを決定する劣化テーブル決定部と、
前記劣化テーブル、前記需要予測、及び、前記発電予測に基づいて、前記蓄電池の充放電計画を作成する充放電計画作成部と、
前記需要予測、前記発電予測、前記充放電計画及び、前記蓄電池の充放電を制御するための前記劣化テーブルを前記制御装置へ送信する第１送信部と、
を備え、
前記制御装置は、
前記蓄電池の蓄電池状態情報を生成する蓄電池測定部と、
前記蓄電池状態情報を前記監視装置へ送信する第２送信部と、
前記監視装置から需要予測、発電予測、劣化テーブル及び充放電計画を受信する受信部と、
前記需要予測及び前記発電予測が前記電力消費部の電力需要及び発電装置の発電量と一致するか判定する判定部と、
前記判定部が前記需要予測及び前記発電予測が前記電力消費部の電力需要及び発電装置の発電量と一致する場合に、前記充放電計画に従って前記蓄電池の充放電を制御する第１制御部と、
前記判定部が前記需要予測及び前記発電予測が前記電力消費部の電力需要及び発電装置の発電量と一致しない場合に、前記劣化テーブルに基づいて前記蓄電池の充放電を制御する第２制御部と、
を備える、
制御システム。
【手続補正２】
【補正対象書類名】明細書
【補正対象項目名】０１１９
【補正方法】変更
【補正の内容】
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［Ｃ１］
発電装置及び蓄電池を制御する制御装置から少なくとも蓄電池状態情報を受信し、前記蓄電池の使用履歴を生成して格納する使用履歴蓄積部と、
前記制御装置が電力の供給を制御する電力消費部が消費する電力の需要予測を生成する需要予測生成部と、
前記発電装置の発電予測を生成する発電予測部と、
前記使用履歴から前記蓄電池の劣化速度を示す劣化テーブルを決定する劣化テーブル決定部と、
前記劣化テーブル、前記需要予測、及び、前記発電予測に基づいて、前記蓄電池の充放電計画を作成する充放電計画作成部と、
前記需要予測、前記発電予測、前記充放電計画及び、前記蓄電池の充放電を制御するための前記劣化テーブルを前記制御装置へ送信する送信部と、
を備える監視装置。
［Ｃ２］
さらに、
前記劣化テーブルに有効期限を設定する有効期限設定部と、
を備え、
前記送信部は、さらに、前記有効期限を前記制御装置へ送信する、
前記Ｃ１に記載の監視装置。
［Ｃ３］
前記使用履歴蓄積部は、前記制御装置との通信が切断した後に前記通信が復帰した場合、前記制御装置から前記通信が切断した期間における蓄電池状態情報を受信し、前記蓄電池状態情報に基づいて使用履歴を生成して格納し、
前記劣化テーブル決定部は、前記場合において、前記使用履歴に基づいて劣化テーブルを決定し、
前記送信部は、前記劣化テーブルを前記制御装置へ送信する、
前記Ｃ１又は２に記載の監視装置。
［Ｃ４］
前記劣化テーブルは、前記蓄電池の温度及びＳＯＣに応じた劣化速度を示す、
前記Ｃ１乃至３の何れか１項に記載の監視装置。
［Ｃ５］
前記劣化テーブルは、劣化速度を２値で示す、
前記Ｃ１乃至４の何れか１項に記載の監視装置。
［Ｃ６］
蓄電池、発電装置及び電力消費部を制御する制御装置において
前記蓄電池の蓄電池状態情報を生成する蓄電池測定部と、
前記蓄電池状態情報を監視装置へ送信する送信部と、
前記監視装置から需要予測、発電予測、劣化テーブル及び充放電計画を受信する受信部と、
前記需要予測及び前記発電予測が前記電力消費部の電力需要及び発電装置の発電量と一致するか判定する判定部と、
前記判定部が前記需要予測及び前記発電予測が前記電力消費部の電力需要及び発電装置の発電量と一致する場合に、前記充放電計画に従って前記蓄電池の充放電を制御する第１制御部と、
前記判定部が前記需要予測及び前記発電予測が前記電力消費部の電力需要及び発電装置の発電量と一致しない場合に、前記劣化テーブルに基づいて前記蓄電池の充放電を制御する第２制御部と、
を備える制御装置。
［Ｃ７］
前記受信部は、前記監視装置から前記劣化テーブルに設定される有効期限を受信し、
さらに、
予めローカル劣化テーブルを格納する第１記録部と、
前記有効期限に現在時刻が含まれるか判定する有効期限判定部と、
前記第２制御部は、前記有効期限判定部が前記有効期限に現在時刻が含まれると判定した場合、前記劣化テーブルに基づいて前記蓄電池の充放電を制御し、前記有効期限判定部が前記有効期限に現在時刻が含まれないと判定した場合、前記ローカル劣化テーブルに基づいて前記蓄電池の充放電を制御する、
前記Ｃ６に記載の制御装置。
［Ｃ８］
さらに、
前記監視装置との通信が切断した場合、前記蓄電池測定部が生成した蓄電池状態情報を格納する第２記録部を備え、
前記送信部は、前記監視装置との通信が復帰した場合に、前記蓄電池状態情報を前記監視装置へ送信する、
前記Ｃ７に記載の制御装置。
［Ｃ９］
前記劣化テーブルは、前記蓄電池の温度及びＳＯＣに応じた劣化速度を示す、
前記Ｃ６乃至８の何れか１項に記載の制御装置。
［Ｃ１０］
前記劣化テーブルは、劣化速度を２値で示す、
前記Ｃ６乃至９の何れか１項に記載の制御装置。
［Ｃ１１］
監視装置と制御装置とを有する制御システムにおいて、
発電装置及び蓄電池を制御する制御装置から少なくとも蓄電池状態情報を受信し、前記蓄電池の使用履歴を生成して格納する使用履歴蓄積部と、
前記制御装置が電力の供給を制御する電力消費部が消費する電力の需要予測を生成する需要予測生成部と、
前記発電装置の発電予測を生成する発電予測部と、
前記使用履歴から前記蓄電池の劣化速度を示す劣化テーブルを決定する劣化テーブル決定部と、
前記劣化テーブル、前記需要予測、及び、前記発電予測に基づいて、前記蓄電池の充放電計画を作成する充放電計画作成部と、
前記需要予測、前記発電予測、前記充放電計画及び、前記蓄電池の充放電を制御するための前記劣化テーブルを前記制御装置へ送信する第１送信部と、
を備え、
前記制御装置は、
前記蓄電池の蓄電池状態情報を生成する蓄電池測定部と、
前記蓄電池状態情報を前記監視装置へ送信する第２送信部と、
前記監視装置から需要予測、発電予測、劣化テーブル及び充放電計画を受信する受信部と、
前記需要予測及び前記発電予測が前記電力消費部の電力需要及び発電装置の発電量と一致するか判定する判定部と、
前記判定部が前記需要予測及び前記発電予測が前記電力消費部の電力需要及び発電装置の発電量と一致する場合に、前記充放電計画に従って前記蓄電池の充放電を制御する第１制御部と、
前記判定部が前記需要予測及び前記発電予測が前記電力消費部の電力需要及び発電装置の発電量と一致しない場合に、前記劣化テーブルに基づいて前記蓄電池の充放電を制御する第２制御部と、
を備える、
制御システム。
【国際調査報告】
2015151696.tif 000018
2015151696.tif 000019
2015151696.tif 000020